(57)【要約】【課題】巻装可能な最大巻数と占積率が向上し、回転電機の高効率化、小型化が可能となる回転電機のティースコア用のインシュレータを提供する。【解決手段】分割ティースコア１１の胴部の全周を覆う筒体３１と、筒体３１の両端から立設される内鍔３２と外鍔３３とで構成するコイル巻装部３４と、各内鍔３２の、固定子の軸方向の一端部に接続された環状の連結部３５からなり、連結部３５を有する側と、固定子の軸方向に反対側のインシュレータ３の端部に、コイル４を巻装する時にインシュレータ３をインシュレータ３の内周側に挿入するインシュレータ３とは別体のインシュレータ固定具５に固定する、内鍔３２と一体成形した固定部３６を有する回転電機のティースコア用のインシュレータ３を提供する。【選択図】図４
2014121167.tif 000002
【特許請求の範囲】
【請求項１】
コイルが巻装される複数の分割ティースコアを、前記コイルと絶縁して固定子の構成時の位置関係で等間隔に円環状に配置する回転電機のティースコア用のインシュレータであって、
前記分割ティースコアの胴部の全周を覆う筒体と、
前記筒体の両端から立設される内鍔と外鍔とで構成するコイル巻装部と、
各前記内鍔の、前記固定子の軸方向の一端部に接続された環状の連結部からなり、
前記連結部を有する側と、前記固定子の軸方向に反対側の前記インシュレータの端部に、前記コイルを巻装する時に前記インシュレータを前記インシュレータの内周側に挿入する前記インシュレータとは別体のインシュレータ固定具に固定する、前記内鍔と一体成形した固定部を有する回転電機のティースコア用のインシュレータ。
【請求項２】
前記固定部は、凹部を有する請求項１に記載の回転電機のティースコア用のインシュレータ。
【請求項３】
前記固定部は、前記固定子の軸方向に前記内鍔を延長して形成する請求項１又は請求項２に記載の回転電機のティースコア用のインシュレータ。
【請求項４】
前記凹部は、前記固定部の端部の両角に設けている請求項２に記載の回転電機のティースコア用のインシュレータ。
【請求項５】
前記固定部は、前記内鍔の外周面より、前記固定子の軸方向に段下げして形成されている請求項１〜請求項４のいずれか１項に記載の回転電機のティースコア用のインシュレータ。
【請求項６】
前記固定部は、前記内鍔の厚み以上の厚みに形成されている請求項１〜請求項５のいずれか１項に記載の回転電機のティースコア用のインシュレータ。
【請求項７】
前記固定部は、隣り合う前記コイル巻装部の前記内鍔の縁を相互に連結して形成する請求項１又は請求項２に記載の回転電機のティースコア用のインシュレータ。
【請求項８】
前記固定部の内周面は、円弧状である請求項７に記載の回転電機のティースコア用のインシュレータ。
【請求項９】
請求項１〜請求項８のいずれか１項に記載の回転電機のティースコア用のインシュレータを備えた回転電機の固定子。
【請求項１０】
請求項９に記載の固定子を備えた回転電機。
【請求項１１】
請求項１〜請求項８のいずれか１項に記載の回転電機のティースコア用のインシュレータを備えた１相のティース群を２つ、各ティース群に属する前記コイル巻装部が交互に配置されるように組み合わされている固定子を有する回転電機。
【請求項１２】
請求項５に記載の回転電機のティースコア用のインシュレータを有する回転電機であって、前記インシュレータの回転軸に対して対称な位置にある２つの前記固定部間の長さは、回転子の外径より小である回転電機。
【請求項１３】
請求項１〜請求項８に記載の回転電機のティースコア用のインシュレータを固定するインシュレータ固定具であって、
前記インシュレータの前記連結部に前記連結部が無い側から挿入する、前記連結部の内径と同じ外径を有する円盤状の連結部挿入部と、
前記インシュレータの内径と同じ外径を有する円筒状の固定具本体とが同軸上に一体成形され、前記インシュレータの前記連結部を、前記固定具本体端面との間に挟み込んで固定する連結部固定プレートとを備えた回転電機のティースコア用のインシュレータ固定具。
【請求項１４】
前記インシュレータの前記固定部を、前記固定具本体との間に挟み込んで固定するチャック部品を備えた請求項１３に記載の回転電機のティースコア用のインシュレータ固定具。
【請求項１５】
請求項１４に記載のインシュレータ固定具に固定した前記インシュレータの複数の前記コイル巻装部に順に前記コイルを巻装する回転電機のコイル巻装方法。
【請求項１６】
請求項７又は請求項８に記載のインシュレータを、請求項１３に記載のインシュレータ固定具に固定して、複数の前記コイル巻装部に順に前記コイルを巻装した後、前記固定部を切断する回転電機のコイル巻装方法。
【発明の詳細な説明】
【技術分野】
【０００１】
この発明は、コアをスロット数と同数に周方向に分割、またはティース部とヨーク部に分割して同相内の複数のコアに対して連続的に集中巻装する回転電機のティースコア用のインシュレータ、回転電機のティースコア用のインシュレータ固定具、回転電機の固定子、回転電機及び回転電機のコイル巻装方法に関するものである。
【背景技術】
【０００２】
従来、環状のヨークコアに複数のティースコアを嵌合させて製造する回転電機の固定子とその製造方法について特許文献１に記載の技術が提案されている。
同文献に掲載された発明では、組み立て前の複数のティースコアに絶縁用インシュレータを装着し、これらのティースコアを固定子構成時と同じ位置に配置して、巻線用のインデックス治具で各ティースコアの先端部を固定子の内側から把持し、その後、順に各ティースコアにコイルを巻装している。
【先行技術文献】
【特許文献】
【０００３】
【特許文献１】特開平１１−１７８２５９号公報
【発明の概要】
【発明が解決しようとする課題】
【０００４】
例えば特許文献１の電動機では、ティースコアの先端部（シュー）をインデックス治具で把持してフライヤノズルでコイルを巻装するため、ティース先端部のヨークコア側に把持スペースを残す必要がある。
具体的には、ティースコアを絶縁するインシュレータとティース先端部の間に把持用のスペースを設け、この部分をインデックス治具で把持している。
しかしながら、このような構成では、把持用に設けたスペースは無駄に残り、本来であればコイルを巻装できるスペースを有効に活用できず、コイルの占積率が低下してしまうという課題があった。
【０００５】
本発明は、このような課題を解決するためになされたものであり、環状に配置されたティースコアを連結する環状の連結部を有するティースコア用インシュレータにおいて、巻装可能な最大巻数を増加させることにより占積率を向上させ、回転電機の高効率化及び小型化が可能な回転電機のティースコア用のインシュレータ、回転電機のティースコア用のインシュレータ固定具、回転電機の固定子、回転電機及び回転電機のコイル巻装方法を提供することを目的とする。
【課題を解決するための手段】
【０００６】
この発明に係る回転電機のティースコア用のインシュレータは、
コイルが巻装される複数の分割ティースコアを、コイルと絶縁して固定子の構成時の位置関係で等間隔に円環状に配置する回転電機のティースコア用のインシュレータであって、
分割ティースコアの胴部の全周を覆う筒体と、
筒体の両端から立設される内鍔と外鍔とで構成するコイル巻装部と、
各内鍔の、固定子の軸方向の一端部に接続された環状の連結部からなり、
連結部を有する側と、固定子の軸方向に反対側のインシュレータの端部に、コイルを巻装する時にインシュレータをインシュレータの内周側に挿入するインシュレータとは別体のインシュレータ固定具に固定する、内鍔と一体成形した固定部を有するものである。
【発明の効果】
【０００７】
この発明に係る回転電機のティースコア用のインシュレータは、
連結部を有する側と、固定子の軸方向に反対側のインシュレータの端部に、コイルを巻装する時にインシュレータをインシュレータの内周側に挿入するインシュレータとは別体のインシュレータ固定具に固定する、内鍔と一体成形した固定部を有するものなので、
コイルの巻装時に、インシュレータの連結部及びこの固定部を把持してインシュレータをベース部品に固定することにより、固定子の巻装スペースに関係する場所に巻装体を把持するためのスペースを確保する必要がなくなる。
このため、巻装可能な最大巻数と占積率が向上し、回転電機の高効率化、小型化が可能となる。
【図面の簡単な説明】
【０００８】
【図１】この発明の実施の形態１に係る分割ティースコアと環状ヨークコアの配置を示す平面図である。
【図２】この発明の実施の形態１に係る分割ティースコアの斜視図である。
【図３】この発明の実施の形態１に係る固定子の組み立て工程図と斜視図である。
【図４】この発明の実施の形態１に係るティースコア用のインシュレータの斜視図及び側面図である。
【図５】この発明の実施の形態１に係るベース部品と固定プレートを示す斜視図である。
【図６】この発明の実施の形態１に係るベース部品に取り付けたコイル巻装体の各コイル巻装部にコイルを巻装している状態を示す図である。
【図７】この発明の実施の形態１に係るコイル巻装体の斜視図である。
【図８】この発明の実施の形態２に係るベース部品に取り付けたコイル巻装体の各コイル巻装部にコイルを巻装している状態を示す図である。
【図９】この発明の実施の形態２に係るチャック部品の斜視図である。
【図１０】この発明の実施の形態２に係るチャック部品を取り付けた状態及び取り外した状態を示す斜視図である。
【図１１】この発明の実施の形態３に係るベース部品に取り付けたコイル巻装体の各コイル巻装部にコイルを巻装している状態を示す図である。
【図１２】この発明の実施の形態３に係るコイル巻装体をベース部品に取り付ける様子を説明する断面図である。
【図１３】この発明の実施の形態３に係る回転電機の製造工程を説明する断面図である。
【発明を実施するための形態】
【０００９】
実施の形態１．
以下、本願発明の実施の形態１に係る回転電機のティースコア用のインシュレータ、回転電機のティースコア用のインシュレータ固定具、回転電機の固定子、回転電機及び回転電機のコイル巻装方法について図を用いて説明する。
なお、本実施の形態では、固定子を８個の分割ティースコアと１個の環状ヨークコアに分割した、分割コア構造を有する回転電機の一種であるコンデンサ駆動電動機の例を用いて説明する。
また、本明細書で、「外周側」、「内周側」というときは、特に記載する場合を除き、その場で言及している構成物についての、固定子との関係における「外周側」「内周側」をいうものとする。
【００１０】
図１は、この発明の実施の形態１に係る分割ティースコア１１ａ〜１１ｈ（以下、特に個別に指し示す必要がないときは、単に分割ティースコア１１として代表する）と環状ヨークコア１２の配置を示す平面図である。
図２は、分割ティースコア１１の斜視図である。
分割ティースコア１１は、磁性体により構成されており、環状ヨークコア１２に圧入される圧入部１１１を外周側に有している。
環状ヨークコア１２は、磁性体により構成されており、図１に示すように内周側に圧入部１２１を有する。この圧入部１２１に分割ティースコア１１の圧入部１１１を圧入することにより、固定子コアを構成する。
【００１１】
図３（ａ）は、この実施の形態で製造する固定子１０の製造手順を示す図であり、コイル４を巻装したコイル巻装体３０とコイル巻装体４０と環状ヨークコア１２を組み合わせる前の状態を示す図である。
図３（ｂ）は、コイル４を巻装したコイル巻装体３０とコイル巻装体４０と環状ヨークコア１２を組み合わせた後の状態を示す図である。
コイル巻装体３０に巻装するコイル４は、電動機の同相のコイル群を構成し、コイル巻装体４０に巻装するコイル４は、他の同相のコイル群を構成する。
実施の形態１に係る発明は、コイル巻装体３０及びコイル巻装体４０のコイル４の巻装時に、コイル巻装体３０、４０を把持する技術に関するものである。
【００１２】
図４（ａ）は、インシュレータ３の斜視図である。
図４（ｂ）は、インシュレータ３の側面図である。
インシュレータ３は、絶縁性を有する物質によって一体成形されている。
インシュレータ３は、分割ティースコア１１の胴部の全周を覆う筒体３１と、この筒体３１の内周側に立設する内鍔３２と、当該筒体３１の外周側から立設する外鍔３３とからなるコイル巻装部３４及び、環状の形状を有し、内鍔３２の固定子１０の軸方向の一端部を連結する連結部３５とで構成されている。
インシュレータ３の内周面は、これに挿入する図示しない回転子の外周に沿うように成形されている。
インシュレータ３の筒体３１に分割ティースコア１１を挿入したものが、コイル巻装体３０、４０である。
また、インシュレータ３のコイル巻装部３４に巻装されるコイル４は、連結部３５に沿って隣のコイル巻装部３４に渡らせられる。
インシュレータ３に巻装されたコイル４は、電動機の同相のコイル群を形成する。
【００１３】
インシュレータ３の固定子１０の軸方向に対して、連結部３５を設けた一端部と反対側の他端部には、隣り合うコイル巻装部３４の内鍔３２の端部同士を接続する固定部３６を設けている。
固定部３６の使用方法については後述する。
【００１４】
次に、コイル巻装体３０、４０の各コイル巻装部３４にコイル４を巻き回し、固定子１０を製造する方法を説明する。
図５は、コイル巻装時にコイル巻装体３０を取り付けるベース部品５と固定プレート５５（インシュレータ固定具）を示す斜視図である。
ベース部品５は、上方の端部に本体部５３より直径の小さな連結部挿入部５１を備えている。
また、ベース部品５の下部の外周面には、等間隔にチャック部品取付部５２を設けている。
固定プレート５５は、ベース部品５の連結部挿入部５１の上からすっぽり被せることができる鍋蓋形状をしている。
図６（ａ）は、ベース部品５に取り付けたコイル巻装体３０の各コイル巻装部３４にコイル４を巻装している状態を示す斜視図（フライヤノズルは省略）である。
図６（ｂ）は、図６（ａ）の上面図である。
なお、ここではコイル巻装体３０についてのコイル巻装方法について説明するが、コイル巻装体４０についても同様である。
【００１５】
まず、ベース部品５の上側から、インシュレータ３を被せて、ベース部品５の連結部挿入部５１をインシュレータ３の連結部３５の内周側に挿入する。
次に、インシュレータ３の連結部３５の上から固定プレート５５をベース部品５の連結部挿入部５１にすっぽりと被せてベース部品５の回転軸２１となるネジ２０でベース部品５に固定する。
このように、インシュレータ３の連結部３５は、ベース部品５と固定プレート５５との間に挟まれて固定される。
【００１６】
また、インシュレータ３の固定部３６は、チャック部品６によってベース部品５のチャック部品取付部５２にネジ２５で固定されている。
また、このとき、インシュレータ３の内周側の底部（固定部３６を含む）もベース部品５の外周側底部にぴったりと沿うように円環状（固定部３６部分は円弧状）に成形されている。
これにより、インシュレータ３は、図６（ａ）の上方、下方の両方向からベース部品５に固定されこととなる。
【００１７】
ベース部品５は、ネジ２０の中心を回転軸２１として回転する機構を有し、図６（ｂ）のフライヤノズル７は、回転軸１９を中心として回転する機構を有する。
フライヤノズル７は、中空円筒となっており、ワイヤ１７が中を通って先端から供給される。
フライヤノズル７の回転によって、ワイヤ１７が各巻装部に順に巻装され、集中巻きコイル４を形成する。
【００１８】
コイル巻装体３０は、分割ティースコア１１ａ〜１１ｄを環状に配置した構造をもつため、ベース部品５を回転軸のまわりに９０°回転させるだけで、分割ティースコア１１ａ〜１１ｄをフライヤノズル７に順に対向させることができる。
またこのとき、コイル４間を渡る渡り線は切断せず、インシュレータ３の連結部３５に沿って配置する。
このようにして分割ティースコア１１ａ〜１１ｄに対して連続してコイル４を巻装する。
【００１９】
図７（ａ）は、コイル４を巻装後のコイル巻装体３０の斜視図である。
図７（ｂ）は、固定部３６を切断後のコイル巻装体３０の斜視図である。
図７（ａ）に示すようにコイル巻装体３０の全てのコイル４を巻装した後、図７（ｂ）に示すように固定部３６を切断する。
同様に、コイル巻装体４０にコイル４を巻装し、その後、図３（ｂ）に示すように、コイル巻装体３０、４０と環状ヨークコア１２を一体化して回転電機の固定子１０を得る。
【００２０】
本発明の実施の形態１に係る回転電機のティースコア用のインシュレータ３、回転電機のティースコア用のインシュレータ固定具、回転電機の固定子１０、回転電機及び回転電機のコイル巻装方法によれば、以下の効果を得ることができる。
まず、インシュレータ３に固定部３６を設け、コイル４の巻装時に、この固定部３６を把持してインシュレータ３をベース部品５に固定することにより、固定子１０の巻装スペースに関係する場所にコイル巻装体３０を把持するためのスペースを確保する必要がなくなる。
これにより、巻装可能な最大巻数と占積率が向上し、回転電機の高効率化、小型化が可能となる。
【００２１】
また、インシュレータ３の構造を分割ティースコア１１ａ〜１１ｄを環状配置させる構造としたため、ベース部品５を回転軸２１のまわりに回転させるだけで、同相のコイル巻装部３４を順にフライヤノズル７に対向させ、渡り線をインシュレータ３の連結部３５に沿わせることができるため、巻装動作を簡便化、高速化し、生産性の向上を図ることができる。
また、インシュレータ３の固定部３６を隣接する同相コアの間に設けたため、フライヤノズル７がコイル４の最も内周側を巻装するときでも、フライヤノズル７、ワイヤ１７が通る範囲とチャック部品６が干渉することなくコイル４を巻装することができ、コイル巻装装置の小型化を図ることができる。
更に、インシュレータ３の固定部３６を隣接するコイル巻装部３４の内鍔３２同士を接合するように設けたことによりインシュレータ３の剛性が高くなる。
【００２２】
実施の形態２．
以下、本発明の実施の形態２を、図を用いて、実施の形態１と異なる部分を中心に説明する。
図８（ａ）は、ベース部品２０５に取り付けたコイル巻装体２３０の斜視図である。
図８（ｂ）は、図８（ａ）の側面図である。
図９は、チャック部品２０６の斜視図である。
図１０は、インシュレータ２０３のチャック部品取付部２５２の周辺とチャック部品２０６を示す図であり、図８中のＢ方向から見た斜視拡大図である。
同図（ａ）はインシュレータ２０３の固定部２３６をチャック部品２０６で固定した状態を示す図であり、同図（ｂ）はチャック部品２０６を取り付ける前の状態を示す図である。
【００２３】
実施の形態１と本実施の形態との違いは、インシュレータ２０３の固定部２３６とチャック部品２０６の形状、チャック部品２０６の設置位置が異なるだけで、その他の構成は実施の形態１と同様である。
このため、本実施の形態では、固定部２３６及びチャック部品２０６の形状についてのみ説明する。
【００２４】
図８に示すように、インシュレータ２０３の連結部２３５を固定プレート５５とベース部品２０５の間に挟んで固定し、ベース部品２０５のチャック部品取付部２５２にチャック部品２０６を取り付けてインシュレータ２０３の固定部２３６を挟み込むことによって、インシュレータ２０３をベース部品２０５に固定してコイル４を巻装する。
【００２５】
実施の形態１ではインシュレータ３の取付け部１０を固定するチャック部品６とフライヤノズル７とが干渉しないようにインシュレータ３の固定部３６を隣接するコイル巻装部３４の中間に仮設したが、本実施の形態では、図９に示すようにチャック部品２０６に爪部１６を例えば２つ設け、図１０に示すように、連結部２３５に接続されていない側の内鍔２３２の端部を延長し、爪部１６が勘合する凹状の形状の固定部２３６を設けている。
図８（ｂ）の破線で囲んだ部分に示すように、チャック部品２０６は、ワイヤ１７やフライヤノズル７と干渉しないように、チャック部品２０６全体がインシュレータの内鍔２３２より固定子の内周側に配置されるような構成とする。
【００２６】
本発明の実施の形態２に係る回転電機のティースコア用のインシュレータ、回転電機のティースコア用のインシュレータ固定具、回転電機の固定子、回転電機及び回転電機のコイル巻装方法によれば、実施の形態１で述べた効果の他に、固定部２３６をコイル巻装後に除去する必要が無く、固定子の製造工数及びインシュレータの材料使用量を抑えることができる。
【００２７】
また、チャック部品２０６の２本の爪部１６を内鍔２３２の端部の角に設けたので、チャック部品２０６を固定することにより、インシュレータ２０３の周方向へのずれを効果的に防止できる。
【００２８】
実施の形態３．
以下、本発明の実施の形態３を、図を用いて、実施の形態２と異なる部分を中心に説明する。
図１１（ａ）は、ベース部品３０５に取り付けたコイル巻装体３３０の斜視図である。
図１１（ｂ）は、図１１（ａ）の側面図であり、フライヤノズル７との位置関係を示している。
本実施の形態と実施の形態２との違いは、インシュレータ３０３の固定部３３６の形状とチャック部品３０６の形状が異なるだけである。
その他の構成は、実施の形態２と同様なので、本実施の形態では、固定部３３６の形状とチャック部品３０６の形状についてのみ説明する。
【００２９】
図１１（ａ）、（ｂ）の破線で囲んだ部分を、実施の形態２の図８（ａ）、（ｂ）の同等部分と比較すれば分かるように、実施の形態３では、インシュレータ３０３の内鍔３３２に設けた固定部３３６の厚みを、内鍔３３２の他の部分の厚みと同等もしくはそれより大となるように設定している。
それでも、固定部３３６を内周側（径方向内側）にオフセット（段下げ）して設けているので、固定部３３６に取り付けたチャック部品３０６の表面が内鍔３３２の表面より外周側に突出することはない。
【００３０】
図１２は、コイル巻装体３３０をベース部品３０５に取り付ける様子を説明する断面図である。
同図（ａ）は、コイル巻装体３３０をベース部品３０５に取り付ける前の状態、
同図（ｂ）は、コイル巻装体３３０をベース部品３０５に取り付けている状態、
同図（ｃ）は、コイル巻装体３３０をベース部品３０５に取り付けた後の状態を示している。
コイル巻装体３３０をベース部品３０５に取り付ける時、インシュレータ３０３の固定部３３６がベース部品３０５と干渉する。
しかし、図１２に示すように、インシュレータ３０３の各コイル巻装部３３４に、連結部３３５に連結されていない側を開くことができるような弾性をもたせ、各コイル巻装部３３４を図１２（ｂ）の矢印方向に向けて開くことによってコイル巻装体３３０をベース部品３０５に取り付けることができる。
【００３１】
図１３は、回転子９をコイル巻装体３３０の内側に挿入して回転電機３００を製造する工程を説明する断面図である。
同図（ａ）は、回転子９を、固定子３１０の内側に挿入する前の状態、
同図（ｂ）は、回転子９を、固定子３１０の内側に挿入している状態、
同図（ｃ）は、回転子９を、固定子３１０の内側に挿入した後の状態を示している。
固定子３１０に回転子９を挿入する際は、図１３（ｂ）に示すように、コイル巻装体３３０をベース部品３０５に取り付ける際と同様に回転子９を固定子３１０の内周側に挿入することができる。
【００３２】
本発明の実施の形態３に係る回転電機のティースコア用のインシュレータ、回転電機のティースコア用のインシュレータ固定具、回転電機の固定子、回転電機及び回転電機のコイル巻装方法によれば、実施の形態２で述べた効果の他に、チャック部品３０６やインシュレータ３０３の固定部３３６の肉厚を増すことで、チャック部品３０６やインシュレータ３０３の固定部３３６の剛性を上げることができる。
これにより、コイル４の巻装時にチャック部品３０６やインシュレータ３０３にかかる荷重が大きい場合でもインシュレータ３０３を破損することなくコイル４の巻装が可能となる。
【００３３】
尚、本発明は、その発明の範囲内において、各実施の形態を自由に組み合わせたり、各実施の形態を適宜、変形、省略することが可能である。
【符号の説明】
【００３４】
１０，３１０  固定子、１１，１１ａ〜１１ｈ，１１１  圧入部、
１２  環状ヨークコア、１２１  圧入部、１６  爪部、１７  ワイヤ、１９  回転軸、
２０，２５  ネジ、３，２０３，３０３  インシュレータ、
６，２０６，３０６  チャック部品、２１  回転軸、
３０，２３０，３３０，４０  コイル巻装体、３１  筒体、
３２，２３２，３３２  内鍔、３３  外鍔、３４，３３４  コイル巻装部、
３５，２３５，３３５  連結部、３６，２３６，３３６  固定部、
５２，２５２  チャック部品取付部、４  コイル、５，２０５，３０５  ベース部品、
５１  連結部挿入部、５２  チャック部品取付部、５５  固定プレート、
７  フライヤノズル、９  回転子、３００  回転電機。
【図１】
2014121167.tif 000003
【図２】
2014121167.tif 000004
【図３】
2014121167.tif 000005
【図４】
2014121167.tif 000006
【図５】
2014121167.tif 000007
【図６】
2014121167.tif 000008
【図７】
2014121167.tif 000009
【図８】
2014121167.tif 000010
【図９】
2014121167.tif 000011
【図１０】
2014121167.tif 000012
【図１１】
2014121167.tif 000013
【図１２】
2014121167.tif 000014
【図１３】
2014121167.tif 000015